(57)【要約】【課題】空き缶、空きボトルを、径方向、軸方向へ容易に圧縮可能としさらにその圧縮を安価な装置で実現することを目的とする。【解決手段】  圧縮対象となる空き缶７または空ボトル８の圧縮行程長さ以上の距離隔てて対向配置された二個一対の固定ブロック１７、１７と、この固定ブロック１７間を往復移動可能に支持され、かついずれの行程も圧縮行程とされる可動ブロック１８と、空き缶７または空ボトル８を圧縮変形し得る力で可動ブロック１８を往復駆動する駆動装置と、固定ブロック１７と可動ブロック１８間に７または空ボトル８を供給する供給装置９と、固定ブロック１７下方に設けられ、圧縮された空き缶７等を落下集積させる収納ボックスとを備えて構成されている。【選択図】図２
2007283396.tif 000002
【特許請求の範囲】
【請求項１】
圧縮対象となる空き缶または空ボトルの圧縮工程長さ以上の距離隔てて対向配置された二個一対の固定ブロックと、この固定ブロック間を往復移動可能に支持され、かついずれの行程も圧縮行程とされる可動ブロックと、前記空き缶または空ボトルを圧縮変形し得る力で前記可動ブロックを往復駆動する駆動装置と、前記固定ブロックと可動ブロック間に前記空き缶または空ボトルを供給する供給装置と、前記固定ブロック近傍に設けられ、圧縮された前記空き缶等を落下排出させる排出口とを備えて構成された空き缶、空ボトル圧縮機。
【請求項２】
圧縮方向が缶軸方向とされている請求項１に記載の空き缶、空ボトル圧縮機
【請求項３】
圧縮方向が缶軸に対して径方向とされている請求項１に記載の空き缶、空ボトル圧縮機
【請求項４】
前記固定ブロック下方に配置された磁石と、該磁石により落下経路を変化させられる磁性体製空き缶の収納ボックスと、前記磁石の影響を受けることなく落下される非磁性体よりなる空き缶または空ボトルの収納ボックスを備えた請求項１〜３いずれかに記載の空き缶、空ボトル圧縮機
【請求項５】
前記一対の固定ブロックに対応してそれぞれの上方に空き缶または空ボトルの供給路が設けられ、該それぞれの供給路の下端には可動ブロックが前記いずれかの固定ブロックに接近した時に他側の固定ブロックと可動ブロックとの間に空き缶を投入する投入装置が設けられてなる請求項１〜４の空き缶、空ボトル圧縮機。
【請求項６】
前記投入装置が、落下供給路の下面に対応する受け板と、受け板の背側に立設された前記空き缶または空ボトルより高さの低い背板と、該背板から背側に延出し前記落下供給路の下端を閉じる遮蔽板とを有し、全体が前記固定ブロック上方に設けた回動支点を中心に回動自在に軸支されてなる請求項１または２に記載の空き缶、空ボトル圧縮機。
【請求項７】
前記排出口に臨まされた磁石が、回転ドラム状とされ、該回転ドラム表面には吸着された圧縮済みの空き缶を掻き落すスクレーパーが設けられ、該スクレーパーの下部に磁性体よりなる空き缶収納ボックスが配置されている請求項４〜６いずれかに記載の空き缶、空ボトル圧縮機。
【請求項８】
前記供給路の下面に、下方へ向けて開口する扉板がヒンジにより支持され該扉板は空き缶または空きボトルより重い重量には抗し得ない力で閉扉方向に付勢され、該扉下方に該扉を押し開けて落下した落下物の排出ダクトが配置されている請求項５に記載の空き缶、空ボトル圧縮機
【発明の詳細な説明】
【発明の詳細な説明】
【技術分野】
【０００１】  この発明は飲料用の空き缶、空きボトルを小さく圧縮するための圧縮機に関する。
【背景技術】
【０００２】  近年、飲料入りの缶やペットボトルが大量に販売消費されている。これらの使用済みの空き缶、空きボトルはそのまま廃棄することなく資源として再利用することが広く推奨されている。【０００３】  ところで上記の空き缶や空きボトルは、そのままの形状では質量に比し容積が極めて大きい。従って、廃棄するにせよ再利用するにせよそのままの形状では移送や貯蔵に容積的な無駄が非常に大きくなる問題がある。【０００４】  このため使用済みの空き缶や空きボトルを、ローラーやベルトを用いて圧縮し容積を小さくする装置が種々提案されている（特許文献１、２）。【０００５】  ところでこれら空き缶、空きボトルの圧縮装置としては缶を径方向へ圧縮して扁平化するもの（特許文献１）や、円形断面をそのままに軸方向へ圧縮するもの（特許文献２）などがある。【０００６】  さらに上記装置には缶を一個ずつ扁平圧縮するものと、いくつかまとめて圧縮するものがあるが、前者の装置は小型化できる利点があるものの一個ずつ圧縮するので処理に時間が掛かる問題がある。後者のいくつかまとめて圧縮する装置は装置か大掛かりとなり軽便に使用ができない問題がある。
【特許文献１】特開平９−３００９９号公報
【特許文献２】実用新案登録第３０８４８７０号公報
【発明の開示】
【発明が解決しようとする課題】
【０００７】  この発明は上記問題を解決することを目的としてなされたものであり、使用済みとなって廃棄される空き缶、空きボトルを、径方向、軸方向へ容易に圧縮可能としさらにその圧縮を安価な装置で実現することを目的としてなされたものである。【０００８】  さらに、上記処理を自動的かつ迅速に行い、缶飲料の自動販売機と組み合わせて設置することで使用済みの缶やボトルの回収を容易にし集積容積を著しく小さくすることを目的とする。
【課題を解決するための手段】
【０００９】  上記課題を解決するためこの発明の空き缶、空きボトル圧縮機は、圧縮対象となる空き缶または空ボトルの圧縮行程長さ以上の距離隔てて対向配置された二個一対の固定ブロックと、この固定ブロック間を往復移動可能に支持され、かついずれの行程も圧縮行程とされる可動ブロックと、前記空き缶または空ボトルを圧縮変形し得る力で前記可動ブロックを往復駆動する駆動装置と、前記固定ブロックと可動ブロック間に前記空き缶または空ボトルを供給する供給装置と、前記固定ブロック近傍に設けられ、圧縮された前記空き缶等を落下排出させる排出口とを備えて構成されている。【００１０】  上記において空き缶、空きボトルの圧縮方向は缶軸方向あるいは缶径方向のいずれであっても良い。【００１１】  上記の空き缶、空ボトル圧縮機において排出口下方に磁石を配置し、この磁石により落下経路を変化させられる磁性体製空き缶の収納ボックスと、前記磁石の影響を受けることなく落下される非磁性体よりなる空き缶または空ボトルの収納ボックスを備え分別回収を可能にすることもできる。【００１２】  また、上記装置において１対の固定ブロックに対応してそれぞれの上方に空き缶または空ボトルの供給路を設け、該それぞれの供給路の下端に、空き缶を投入する投入装置を設け、圧縮処理が連続的に行えるようにすることもできる。【００１３】  さらに、前記投入装置として、供給路の下面に対応し直立した空き缶または空きボトルを受ける受け板と、受け板の背側に立設された前記空き缶または空きボトルより高さの低い背板と、該背板から背側に延出し前記供給路の下端を閉じる遮蔽板とを有し、全体が前記固定ブロック上方に設けた回動支点を中心に回動自在に軸支したものを用いても良い。【００１４】  また、この場合、前記投入装置における受け板に、前記可動ブロックと係合する突起を設け、可動ブロックが近接するとこの動きに伴って受板が傾斜回動するように構成しても良い。【００１５】  また前記空き缶、空きボトル圧縮機の前記排出口に臨まされた磁石を、回転ドラム状とし、該回転ドラム表面に吸着された圧縮済みの空き缶を掻き落すスクレーパーを設け、このスクレーパーの下部に磁性体よりなる空き缶収納ボックスを配置することで分別回収するようにもできる。【００１６】  なお、上記において磁石は永久磁石、あるいは電磁石のいずれとしてもよい。【００１７】  さらに空き缶、空きボトルを可動ブロック方向へ供給する供給路の下面に、下方へ向けて開口する扉板をヒンジにより支持し、この該扉板を空き缶または空きボトルより重い重量には抗し得ない力で閉扉方向に付勢することで、空き缶、空きボトルより重い異物を落下除去し、別に集積するように構成することもできる。
【発明の効果】
【００１８】  この発明によれば、空き缶やボトルを軸方向へ圧縮する場合、所定間隔隔てて配設された固定ブロック間において可動ブロックのいずれの側の行程でも缶やボトルを圧縮できるので、従来の往行程時のみ圧縮するようにした圧縮装置に比べ処理速度を二倍にすることができる。【００１９】  また、磁石により磁性体である鋼製の缶と非磁性体であるアルミ缶との選別も行うので圧縮後の缶の分別回収も容易となる。【００２０】  さらに、空き缶やボトルの供給装置を一対の固定ブロックのそれぞれに対応して設ければ、可動ブロックの動きに合わせて効率よく空き缶やボトルを圧縮処理でき円滑な圧縮処理が可能となる。【００２１】  上記における磁石を回転ドラム状とし、この回転ドラムに磁性体よりなる圧縮缶を吸着させスクレーパーで掻き落すようにした場合、回転ドラムの回転方向がいずれの方向となっていてもスクレーパー部で圧縮缶がはがされて落下するので、回収ボックスの位置を一定とすることができる。【００２２】  また、供給路下面に扉を設けた場合、いたずらや誤投入により空き缶や空きボトルより重いものが投入されても、上記供給経路の除去扉から落下排除され、圧縮装置の保護が図れる。
【発明を実施するための最良の形態】
【００２３】  次に、この発明の実施の形態である空き缶、空きボトル圧縮機について説明する。
図１は、この発明の空き缶、空きボトルを軸方向へ圧縮する空き缶、空ボトル圧縮機（以下単に「圧縮機」という）の斜視図、図２は図１のＡ−Ａ線断面図、図３は図２のＢ−Ｂ線矢視断面図、図４は図２のＣ−Ｃ線断面図である。なお図１〜図４に示した空き缶、空ボトル圧縮機は、空き缶または空きボトルを軸方向へ圧縮するものを示している。【００２４】  図１において、圧縮機１は方形ケーシング２内に設けられる。このケーシング２には空き缶投入口３、ペットボトルなどの空きボトル投入口４が開設されている。【００２５】  ケーシング２内には図２以下に示すように、空き缶投入口３、空きボトル投入口に連通するそれぞれの供給路５、６が設けられている。この供給路５、６は図示例の場合は、空き缶７や空きボトル８を受容できる内径を有した筒状経路とされているが、周囲をガイドロッドで案内する籠状のような形態であっても良い。要は空き缶７や空きボトル８が秩序良く軸方向へ積み重ねられるものであればよい。【００２６】  供給路５、６の下方には、落下してくる缶やボトルを受け止める投入装置９、９が設けられている。
この投入装置９は、図５にも示すように、供給路５、６の下面に対応する受け板１０と、受け板１０の背側に立設された背板１１と、背板１１側方へ落下しないよう空き缶７等を支える側板１２と、背板１１の上端から背板１１の背側に延出する遮蔽板１３とを有している。遮蔽板１３は図示のように背板１１にブラケット部により支えられている。【００２７】  投入装置９は受け板１０の下方側において、軸１４で回動自在に軸支されている。また、受け板１０の下方には軸１４の軸支部を超えて反対側へ係合部１５が延出され、係合部１５を矢印Ｐ方向へ付勢すれば投入装置９全体が矢印Ｑ方向へ回動するようにされている。【００２８】  また、図２中符号１６は復帰バネを示し、前述の矢印Ｐ方向の付勢力がなくなれば投入装置９が元の姿勢に戻るようにされている。
上記の遮蔽板１３は軸１４を中心とする円周に沿った湾曲板とすることが望ましく、投入装置９が図２の左側に仮想線で示すように回動したときは供給路５、６上方に位置する缶７、ボトル８が供給路５、６より落下しないよう支えるようにされている。【００２９】  投入装置９の下方にはそれぞれ空き缶７または空きボトル８の中で最も長い長さより大きい距離Ｌ隔てて二個一対の固定ブロック１７、１７が対向配置して設けられている。この固定ブロック１７、１７間には可動ブロック１８が往復移動可能に支持されている。【００３０】  上記において二個一対の固定ブロック１７、１７間の距離を限定するのは、可動ブロック１８がいずれか一方の固定ブロック１７に近接した時に、可動ブロック１８と他方の固定ブロックとの間に空き缶７または空きボトル８が投入され得るようにするためである。【００３１】  可動ブロック１８は、両側がねじロッド１９、１９にねじ嵌合されている。そして、このねじロッド１９の軸周囲の正逆転により可動ブロック１８は固定ブロック１７、１７間を往復移動するようにされている。
ねじロッド１９、１９はそれぞれ両端がベアリング軸受２０、２０に軸支されている。【００３２】  ねじロッド１９、１９の一端には互いにかみ合う、歯数の等しい歯車２１、２１が設けられ、電動モーター２２（図２には省略されている。図３参照）により伝動ベルト２２ａを介して回転駆動されるように構成されている。【００３３】  この電動モーター２２からねじロッド１９への回転動力は、回転数を減らすことで可動ブロック１８の移動力が空き缶７または空きボトル８を圧縮変形し得る力となるように伝動速比が定められている。
この電動モーター２２には駆動停止を司る制御回路２９が設けられている。【００３４】  固定ブロック１７、１７の近傍の底板２３には圧縮された缶あるいはボトルを落下排出させる排出口２４、２４が設けられている。
この排出口２４、２４の大きさは圧縮変形前の缶７、ボトル８は通過させないが圧縮された缶７、ボトル８は通過させる長さおよび幅の大きさとされている。【００３５】  この排出口２４下方には磁性を帯びたロール２５（図２、図４）が配置され、磁性体を吸着させた状態で回転するように回転軸２６で軸支されている。図中２７はロール２５に回転を伝動する歯車を示し、歯車２１とかみ合っている。【００３６】  そして、このロール２５の外周にはスクレーパー２８が接触配置され、吸着された磁性体をこのスクレーパー２８で剥離させ下方へ落下させるようにされている。【００３７】  なお、磁性を帯びたロール２５の磁性は永久磁石によるものとされている。そして、図４に示すようにスクレーパー２８の掻き落し位置と、磁性を帯びたロール２５に吸着されずにそのまま落下する位置とにそれぞれ回収用の収納ボックス３０、３１が搬出可能な状態で載置されている。【００３８】  次に上記圧縮機１の作動を説明する。
空き缶７を缶投入口３へ、また空きボトル８をボトル投入口４へ投入する。これら空き缶７、空きボトル８は最初に投入されたものは投入装置９の受け板１０で支えられ、以後投入されたものは供給路５、６内に積重されていく。【００３９】  ついで制御回路２９により電動モーター２２を作動させ、ねじロッド１９を軸周囲に回転させる。この回転に伴い可動ブロック１８はいずれかの固定ブロック１７方向へ移動し始め、すでに可動ブロック１８と固定ブロック１７との間に空き缶７あるいは空きボトル８がある場合はこれらを軸方向へ圧縮しながら移動する。【００４０】  そして、可動ブロック１８が一方の固定ブロック１７へ近づくと、可動ブロック１８はその側にある投入装置９の係合部１５に当接する。これによりその投入装置９は復帰バネ１６の復帰力に抗して軸１４周囲に回動される。【００４１】  回動傾斜により受け板１０上の空き缶７あるいは空きボトル８は可動ブロック１８と他側の固定ブロック１７との間に倒れるようにして落下供給される。このとき、供給路５の下端は遮蔽板１３で塞がれるのでそれより上方に蓄積されている空き缶５などは落下することなく支えられる。【００４２】  この後、制御回路２９により電動モーター２２の回転方向が逆方向へ切替えられる。
可動ブロック１８は他側の固定ブロックへと移動をはじめ、新たに供給された空き缶７あるいは空きボトル８を圧縮し始める。【００４３】  一方それまでに圧縮されていた空き缶７あるいは空きボトル８は、可動ブロック１８より加えられていた圧縮力が解除されるので可動ブロック１８と固定ブロック１７との間で挟みつけられる力を失って、排出口２４から自然に落下する。さらに、この側の投入装置９は可動ブロック１８の復帰移動に伴い、復帰バネ１６の付勢力により元の姿勢に復帰する。同時に供給路５下端から新たな空き缶７等がその側の投入装置９の受け板１０へと落下してくる。【００４４】  排出口２４から自然落下した圧縮後の空き缶７あるいは空きボトル８は、磁性ロール２５近傍を落下するが、非磁性体よりなる缶やボトルの場合はそのまま落下し、下方の回収ボックス３１へと投入される。【００４５】  磁性体よりなる缶の場合は、磁性ロール２５に吸着されて磁性ロール２５と共に回転する。そしてスクレーパー２８部分で掻き落されて下方の回収ボックス３０へと落下する。
なお、磁性ロール２５が正逆いずれの方向へ回転しても磁性体よりなる缶はこのスクレーパー２８部分の表裏いずれかで掻き落されるので、落下位置はほぼ一定となる。【００４６】  従って磁性ロール２５の下方に回収ボックス３０を載置すればこの部分に磁性体よりなる缶７が集積される。【００４７】  そして、可動ブロック１８が他側の固定ブロック１７へと近づけは、その側に投入された空き缶７等が軸方向へ圧縮されていくと共に、その側の投入装置９の係合部１５が稼動ブロック１８に押され、これに伴って回動する投入装置９から新たに空き缶７、空きボトル８などが供給される。【００４８】  新たに供給された空き缶７等が、折り返して移動する可動ブロック１８に圧縮され、同時にそれまで圧縮された空き缶７等が排出口から落下していく。
このようにして往復動しながら空き缶７あるいは空きボトル８の圧縮動作が、供給路５の空き缶７、空き８ボトルが無くなるまで次々と継続される。【００４９】  上記の実施の形態において、制御回路２９として、供給路５、６に空き缶７、空きボトル８の検知スイッチ（図示せず）を設け、空き缶７などを供給路５、６へ投入すれば電動モーター２２の電源が投入され作動が開始するようにしても良い。【００５０】  また、上記の検知スイッチに加え、可動ブロック１８の折り返し位置に逆転スイッチを設け、これにより自動的に電動モーター２２の逆転制御を行うようにすれば、空き缶、空ボトル圧縮機全体が無人状態でも自動運転をさせることができる。【００５１】  なお、投入装置９の回動を可動ブロック１８との接触により行うようにしたが、これに代え投入装置９の回転軸１４に電動モーター（図示せず）や電磁石（図示せず）を用いた回転駆動装置（図示せず）を連接し、制御回路２９によりこれらを必要な時期に回転駆動するような構成とすることもできる。
また、磁性を帯びたロール２５として、永久磁石を用いると、電磁石を用いた場合のような駆動電源が不要となり、駆動コストが安くなる利点がある。もっとも、これに限らず電磁石を用いても良い。【００５２】  この磁性ロール２５は図１〜４に示したものはいずれか一方の排出口２４に一個だけ臨ませた構造としたが、金属製缶のみを対象とする場合や、磁性体よりなる缶のみを他の缶やボトルから選別するだけといった用途の場合は、図６に示すようにいずれの排出口２４にも磁性ロール２５、２５を臨ませて配置し、投入口３、４に投入される缶やボトルの種類の制限をしないようにしても良い。【００５３】  なお、図６において磁性ロール２５、２５部以外は図１〜４に示した実施の形態の空き缶、空ボトル圧縮機と同じであるので、同一部分には同一符号を付すことで詳細な説明は省略する。【００５４】  可動ブロック１８の駆動手段としてねじ送り機構を用いた場合について説明したが、空き缶７や空きボトル８を軸方向へ圧縮できる力を発揮し得る機構であれば他の機構でも良い。例えば図７に示すようにピストンシリンダ装置３２としても良い。この場合ピストン３３が固定側となり、シリンダ３４が可動側となる。そして可動ブロック１８はシリンダ３４外周に固定される。【００５５】  また、電動モーター２２よりねじロッド１９へ伝動ベルト２２ａを用いて伝動する場合を示したが、このベルとしては、タイミングベルトやＶベルトが使用できる。またこれに代えて歯車を用いた構成とすることもできる。
そして、この発明の空き缶、空ボトル圧縮機１は、図８に示すように缶飲料の自動販売機３５などの側面に設置しておくことができ、空き缶、空きボトルの回収、保管にきわめて便利となる。【００５６】  次に、この発明の他の実施の形態の圧縮機を説明する。この圧縮機は、空き缶または空きボトルを径方向へ圧縮するものである。
図９は、この発明の他の実施の形態である圧縮機の斜視図、図１０は図９のＡ−Ａ線断面図、図１１は図１０のＢ−Ｂ線矢視断面図、図１２は図１０のＣ−Ｃ線矢視断面図である。【００５７】  なおこの実施の形態である圧縮機は先に説明した圧縮機と空き缶などを径方向へ圧縮するようにした点が異なるのみで、他は図１〜図７に示した圧縮機と同じであるので、同一部分または相当する部分には同一符号を用いて説明する。【００５８】  図９において、圧縮機１は前述の圧縮機と同様、方形ケーシング２内に設けられている。このケーシング２には空き缶投入口３、ペットボトルなどの空きボトル投入口４が開設されている。
なお、この場合の投入口４の形態は缶、ボトルを寝かせた状態で投入するため長方形とされている。
図中２ａはヒンジにより支持された蓋を示し、必要に応じ設けられる。この扉は投入の際に手動で開けるようにされ、通常は閉じられている。また、上記ヒンジとしては蓋２ａの蓋閉時の騒音を防止するため、閉方向の動きを緩和するようにした、いわゆるロータリーダンパーを用いてもよい。【００５９】  ケーシング２内には図１０以下に示すように、空き缶投入口３、空きボトル投入口４に連通するそれぞれの供給路５、６が設けられている。この供給路５、６は、空き缶７や空きボトル８を横倒しの状態で受容できる断面長方形のダクト状経路とされている。この通路はガイドロッドで形成した籠状のような形態であっても良い。【００６０】  供給路５、６の下方には、落下してくる缶やボトルを受け止める受け板１０が設けられている。
この受け板１０には図１３に示すように大径缶を落下通過させる幅広の方形孔１０ａと小径缶を落下通過させる幅狭の方形孔１０ｂを有している。
この受け板１０は、図１０あるいは図１４に示すように後述の可動ブロック１８の上面に取り付けられている。【００６１】  受け板１０の下方にはそれぞれ空き缶７または空きボトル８の中で最も大きい径より大きい距離Ｌ隔てて二個一対の固定ブロック１７、１７が対向配置して設けられている。【００６２】  上記において二個一対の固定ブロック１７、１７間の距離を限定するのは、後述の可動ブロック１８がいずれか一方の固定ブロック１７に近接した時に、可動ブロック１８と他方の固定ブロックとの間に空き缶７または空きボトル８が投入され得るようにするためである。【００６３】  この固定ブロック１７、１７間には投入される空き缶あるいは空きボトルを支持するリブ４０…４０が適宜間隔ごとに立設されている。そして、これらリブ４０を受容する溝４１…４１を有する可動ブロック１８が往復移動可能に支持されている。【００６４】  可動ブロック１８の両側にはねじ駒１８ａ（図１１、図１２）が設けられ、ねじロッド１９、１９にねじ嵌合されている。そして、このねじロッド１９の軸周囲の正逆転により可動ブロック１８が固定ブロック１７、１７間を往復移動するようにされている。【００６５】  ねじロッド１９、１９はそれぞれ両端がベアリング軸受２０、２０に軸支されている。【００６６】  一方のねじロッド１９の一端にはプーリー２１が設けられ、電動モーター２２により伝動ベルト２２ａを介して回転駆動されるように構成されている。【００６７】  この電動モーター２２から一方のねじロッド１９への回転動力は、回転数を減らすことで可動ブロック１８の移動力が空き缶７または空きボトル８を圧縮変形し得る力を発揮できるように減速用の中間プーリー２２ｂ、２２ｃが設けられ、伝動速比が定められている。そして、二つのねじロッド１９、１９の他端に同一径プーリー１９ａ、１９ａが設けられ、ベルト１９ｂにより同一回転するように伝動される。【００６８】  図中２９は電動モーター２２の駆動停止を司る制御回路を示す。【００６９】  底板２３には固定ブロック１７、１７の近傍に圧縮された缶あるいはボトルを落下排出させる排出口２４、２４が設けられている。
この排出口２４、２４の大きさは圧縮変形前の缶７、ボトル８は通過させないが圧縮された缶７、ボトル８は通過させる長さおよび幅の大きさとされている。【００７０】  この排出口２４下方には図１０、図１１に示すように収納ボックス３０、３１が搬出可能な状態で載置されている。
なお、図示は省略したが、排出口２４、２４の下方に、磁性を帯びたロール２５（図２、図４）を配置し、磁性体を吸着させた状態で回転するように軸支してもよい。【００７１】  次に上記空き缶、空ボトル圧縮機の作動を説明する。
空き缶７を缶投入口３へ、また空きボトル８をボトル投入口４へ投入する。これら空き缶７、空きボトル８は最初に投入されたものは投入装置９の受け板１０で支えられ、以後投入されたものは供給路５、６内に積重されていく。【００７２】  ついで制御回路２９により電動モーター２２を作動させ、ねじロッド１９を軸周囲に回転させる。なお、蓋２ａをスイッチ（図示せず）に連動させ、開扉によりねじロッド１９が回動し始めるようにしても良い。【００７３】  この回転に伴い可動ブロック１８はいずれかの固定ブロック１７方向へ移動し始め、すでに可動ブロック１８と固定ブロック１７との間に空き缶７あるいは空きボトル８がある場合はこれらを軸方向へ圧縮しながら移動する。【００７４】  そして、可動ブロック１８が一方の固定ブロック１７へ近づくと、可動ブロック１８上面の受け板１０の通過孔１０ａ、１０ｂのいずれかからこれらに合った大きさの空き缶または空きボトルが、可動ブロック１８と固定ブロック１７との間に落下する。【００７５】  この後、制御回路２９により電動モーター２２の回転方向が逆方向へ切替えられる。
可動ブロック１８は他側の固定ブロックへと移動をはじめ、新たに供給された空き缶７あるいは空きボトル８を圧縮し始める。【００７６】  一方それまでに圧縮されていた空き缶７あるいは空きボトル８は、可動ブロック１８より加えられていた圧縮力が解除されるので、排出口２４から自然に落下する。【００７７】  このときの圧縮後の空き缶７は、蓋底部分が径方向へ座屈変形させられるので、図１５に示すように長方形状に圧縮変形され、図１６に示すように蓋底部分７ａ、７ｂが軸方向へはみ出た形状とはならない。【００７８】  排出口２４から自然落下した圧縮後の空き缶７あるいは空きボトル８は、そのまま回収ボックス３１へと落下する。このとき、落下経路に磁性ロールを配置した場合は、先の空き缶、空ボトル圧縮機で説明したのと同様、磁性体、非磁性体よりなる缶やボトルが分別回収される。【００７９】  そして、可動ブロック１８が他側の固定ブロック１７へと近づけは、その側に投入された空き缶７等が軸方向へ圧縮されていくと共に、受け板１０の他方側の通過孔１０ｂ、１０ａからリブ４０…上に新たに空き缶７、空きボトル８などが供給される。【００８０】  斬たに供給された空き缶７等が、折り返して移動する可動ブロック１８に圧縮され、同時にそれまで圧縮された空き缶７等が排出口から落下していく。
このようにして往復動しながら空き缶７あるいは空きボトル８の圧縮動作が、供給路５の空き缶７、空き８ボトルが無くなるまで次々と継続される。【００８１】  上記の実施の形態の圧縮機において、可動ブロック１８下方のリブ４０の断面形状を図１７に示すように高さが二段に変化するような形状とし、低い部分４０ａを大径缶用高い部分４０ｂを小径缶用とし、それぞれのリブ４０上に空き缶が供給された時、その上面の高さを揃えることで、蓄積されている空き缶が圧縮工程部に落ち込むのを防止する構成としても良い。【００８２】  さらに、上記の実施の形態の空き缶、空ボトル圧縮機において、図１０に示すように供給路５、６に空き缶や空きボトルの自重以上の重量が加わると開となる扉板１１ａ、１１ｂを設けることができる。また、図中１１ｃは、落下した異物をケーシング２外へ排出するダクトを示す。【００８３】  上記扉板１１ａ、１１ｂのヒンジ部には、捻り方向の弾性力が空き缶重量には耐えるが、それより重い重量には耐え得ない程度のバネ、例えば捻りバネ（図示せず）をヒンジ軸と同軸に設け、扉板１１ａ、１１ｂを支えるようにされている。なお、この扉板１１ａ、１１ｂヒンジ部に捻りバネに代え前述のロータリーダンパーを用いても良い。【００８４】  この場合は、例えば、まだ内容物の入った缶や、いたずらなどで石など硬い異物が投入されても、扉板１１ａ、１１ｂはそれらの自重によって開扉する。従ってこれら異物は圧縮工程部分に到る前に排出ダクト１１ｃからケーシング２外へ落下排除され、圧縮工程の故障や損傷が防止される。【００８５】  以上説明したように、この発明の空き缶、空ボトル圧縮機によれば、空き缶やボトルを扁平に圧縮変形する場合、軸方向にせよ径方向にせよ所定間隔隔てて配設された固定ブロック間において可動ブロックのいずれの側の行程でも缶やボトルを圧縮できるので、従来の往行程時のみ圧縮するようにした圧縮装置に比べ処理速度を二倍にすることができる。
【図面の簡単な説明】
【図１】  軸方向へ圧縮する方式の空き缶、空ボトル圧縮機の斜視図である。
【図２】  図１のＡ−Ａ線矢視断面図である。
【図３】  図２のＢ−Ｂ線矢視断面図である。
【図４】  図２のＣ−Ｃ線矢視断面図である。
【図５】  投入装置の斜視図である。
【図６】  磁性を帯びたロールの配置状態を異ならせた他の構成例の断面図である。
【図７】  可動ブロックの駆動部分の他の構成例の要部断面図である。
【図８】  空き缶、空ボトル圧縮機の使用状態を説明する斜視図である。
【図９】  径方向へ圧縮する方式の空き缶、空ボトル圧縮機の斜視図である。
【図１０】  図９のＡ−Ａ線矢視断面図である。
【図１１】  図１０のＢ−Ｂ線矢視断面図である。
【図１２】  図１０のＣ−Ｃ線矢視断面図である。
【図１３】  受け板の要部平面図である。
【図１４】  受け板の要部正面図である。
【図１５】  この発明の空き缶、空ボトル圧縮機により圧縮された缶の斜視図である。
【図１６】  この発明以外の装置で圧縮された缶の一例を示す缶の斜視図である。
【図１７】  この発明の圧縮機のリブについての他の構成例を示す要部側面図である。
【図１８】  この発明の圧縮機のリブについての他の構成例を示す要部正面図である。
【符号の説明】
１    空き缶、空ボトル圧縮機
２    方形ケーシング
３    空き缶投入口
４    空きボトル投入口
５    供給路
６    供給路
７    空き缶
８    空きボトル
９    投入装置
１０    受け板
１１    背板
１２    側板
１３    遮蔽板
１４    軸
１５    係合部
１６    復帰バネ
１７    固定ブロック
１８    可動ブロック
１８ａ  ねじ駒
１９    ねじロッド
２０    ベアリング軸受
２１    歯車
２２    電動モーター
２２ａ  伝動ベルト
２３    底板
２４    排出口
２５    磁性を帯びたロール
２６    回転軸
２７    歯車
２８    スクレーパー
２９    制御回路
３０    収納ボックス
３１    収納ボックス
【図１】
2007283396.tif 000003
【図３】
2007283396.tif 000004
【図２】
2007283396.tif 000005
【図４】
2007283396.tif 000006
【図５】
2007283396.tif 000007
【図７】
2007283396.tif 000008
【図６】
2007283396.tif 000009
【図８】
2007283396.tif 000010
【図９】
2007283396.tif 000011
【図１０】
2007283396.tif 000012
【図１１】
2007283396.tif 000013
【図１２】
2007283396.tif 000014
【図１３】
2007283396.tif 000015
【図１４】
2007283396.tif 000016
【図１５】
2007283396.tif 000017
【図１６】
2007283396.tif 000018
【図１７】
2007283396.tif 000019
【図１８】
2007283396.tif 000020